(57)【特許請求の範囲】
【請求項１】
一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように配置した構成を有することを特徴とする破袋分離装置。
【請求項２】
チェーン押え板の下流側端部を、チェーンの移動軌跡から次第に離れる形状としてビニール袋用の離脱ガイドとするようにした請求項１記載の破袋分離装置。
【請求項３】
一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように搬送方向に複数段配置し、該各押え部材と上記チェーン押え板との間の隙間を、搬送方向下流側に向かうに連れて狭くなるように設定した構成を有することを特徴とする破袋分離装置。
【請求項４】
一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、該チェーン押え板の下流側端部を、チェーンの移動軌跡から次第に離れる形状としてビニール袋用の離脱ガイドとするようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように搬送方向に複数段配置し、該各押え部材と上記チェーン押え板との間の隙間を、搬送方向下流側に向かうに連れて狭くなるように設定した構成を有することを特徴とする破袋分離装置。
【発明の詳細な説明】
【０００１】
【発明の属する技術分野】
本発明はリサイクル資源として回収された空瓶や空缶等の回収物が入っているビニール袋を破って回収物とビニールとを分けるために用いる破袋分離装置に関するものである。
【０００２】
【従来の技術】
近年、資源をリサイクルすることが図られており、その一つとして、空瓶や空缶のリサイクルの必要性が年々高まってきている。
【０００３】
上記リサイクル資源としての空瓶や空缶のうち、ビニール袋に入れられた状態で回収されたものは、リサイクルに供するためにはビニール袋を破ってビニール袋外へ取り出してから選別する必要があるが、これまでは、ビニール袋を破る作業を人手によって行っていたので、多大な労力を要する問題があった。
【０００４】
そのため、最近、図５に一例を示す如く、搬送面に多数の刃ａを取り付けた搬送コンベヤｂの上方に、下面先端部に刃ｃを取り付けた加圧アームｄを、コンベヤ搬送ラインに沿い斜めに配置して、支軸ｈにより上下方向へ回動自在に支持させると共に、上記加圧アームｄを常時下方へ回動付勢するように加圧アームｄの上面側にスプリングｅを取り付けるようにしたり、あるいは、図６に示す如く、加圧アームｄの上面側にエアシリンダｆを配置するようにした破袋装置が提案されている。
【０００５】
これら破袋装置では、空瓶や空缶が入れられたビニール袋ｇが搬送されてくると、ビニール袋ｇが加圧アームｄの下側を通過するときに、ビニール袋ｇが加圧アームｄにより押え付けられた状態で刃ａとｃにて破られるものである。
【０００６】
【発明が解決しようとする課題】
ところが、上記の破袋装置では、ビニール袋を破ることはできるが、ビニール袋と空瓶や空缶等の回収物とを分ける機能が不充分であるため、ビニール袋と回収物とが混在して排出され易く、したがって、ビニール袋と回収物とを分離する作業は手作業に頼らざるを得ないのが実情である。
【０００７】
そこで、本発明は、空瓶や空缶等の回収物が入れられたビニール袋を確実に破袋し、且つ破袋後のビニール袋と回収物とを分離させることができるような破袋分離装置を提供しようとするものである。
【０００８】
【課題を解決するための手段】
本発明は、上記課題を解決するために、一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部に位置するチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、更に、上記破袋コンベヤの搬送部の上方部に、空瓶や空缶の如き回収物を入れたビニール袋に対し通過抵抗を与えるための押え部材を、チェーン押え板との間に所要の隙間が形成されるように配置した構成とする。
【０００９】
回収物の入ったビニール袋が上流側端部に投入されると、該ビニール袋は押え部材の位置で通過抵抗を受けながら破袋刃によって切り裂かれる。ビニール袋から出た回収物は、コンベヤが立ち上がっているため下流へ搬送されることはなく、左右幅方向の傾斜に沿って側方に落下させられ、ビニール袋だけが下流へ搬送される。
【００１０】
又、チェーン押え板の下流側端部を、チェーンの移動軌跡から次第に離れる形状としてビニール袋用の離脱ガイドとするようにした構成とすることにより、回収物を分離した後のビニール袋が破袋刃に引っ掛かっていたとしても、離脱ガイドの部分を通ることにより自動的に離脱させられる。
【００１１】
更に、一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように搬送方向に複数段配置し、該各押え部材と上記チェーン押え板との間の隙間を、搬送方向下流側に向かうに連れて狭くなるように設定した構成とすると、上述した作用のほかに、回収物の入ったビニール袋に繰り返し通過抵抗を与えつつ破袋刃にて裂け目をいれることができ、回収物をより確実に分離できるようになり、更に、順次より大きな通過抵抗を与えることができるので、小さい回収物でも対処できることになる。
【００１２】
更に又、一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、該チェーン押え板の下流側端部を、チェーンの移動軌跡から次第に離れる形状としてビニール袋用の離脱ガイドとするようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように搬送方向に複数段配置し、該各押え部材と上記チェーン押え板との間の隙間を、搬送方向下流側へ向かうに連れて狭くなるように設定した構成としても、上述した場合と同様の作用が得られる。
【００１３】
【発明の実施の形態】
以下、本発明の実施の形態を図面を参照して説明する。
【００１４】
図１（イ）（ロ）（ハ）乃至図４は本発明の実施の一形態を示すもので、対をなす内側のリンクプレート２と外側のリンクプレート２の端部同士を順次ピン３にて連結してなる無端状のチェーン１を、左右幅方向（矢印Ｘ方向）に所要間隔を隔てて同軸に配置した駆動スプロケット４と従動スプロケット５とガイドスプロケット６との間に掛け回し、該各チェーン１の、たとえば、外側のリンクプレート２間に、アタッチメント７を介して破袋刃８を外向きに突出するように取り付けると共に、リンクプレート２を連結するピン３の両端部を延長して該延長部にガイドローラ９をそれぞれ回転自在に取り付け、且つ上記駆動スプロケット４と従動スプロケット５との間に形成される搬送部のチェーン１を、搬送方向（矢印Ｙ方向）へ向けて凹状に湾曲させるようにした構成を有する破袋コンベヤ１０を、搬送方向の下流側へ向けて所要角度立ち上がるようにすると共に左右幅方向の一方（左方）へ向けて下向きに適宜傾斜させて（傾斜角θ）配置する。
【００１５】
上記破袋コンベヤ１０上には、湾曲させた搬送部のチェーン１をガイドローラ９を介して上から押えるようにしたチェーン押え板１１を、隣り合うチェーン１の間隔に対応させた幅寸法として搬送部の上流側端部から下流側端部まで延びるように配置して、コンベヤの内側に配置した固定フレーム１８に桁材１９を介して固定すると共に、該各隣り合うチェーン押え板１１の間から破袋刃８が突出位置するように設定する。又、搬送部の上方部には、左右方向に延びる複数本の押え部材１２を、搬送方向へ所要間隔をあけてチェーン押え板１１との間に所要の隙間が形成されしかもこの際間が下流側のものほど狭くなるように配置し、空瓶や空缶等の回収物１３が入れられたビニール袋１４を押え部材１２で通過抵抗を与えつつ破袋刃８にて破袋させられるようにすると共に、破袋によりビニール袋１４から出された回収物１３を左右幅方向の傾斜により分離落下させられるようにする。更に、上記チェーン押え板１１のコンベヤ搬送方向に沿う下流側端部に、破袋刃８に引っ掛かったビニール袋１４を離脱させるための離脱ガイド１１ａを、破袋刃８の突出高さを越える位置までチェーン１の移動軌跡から次第に離隔するような形状として連設する。
【００１６】
又、上記破袋コンベヤ１０の搬送方向の右側の上流側位置に、回収物１３を入れたビニール袋１４を左右幅方向からチェーン押え板１１の上流側端部上に投入するための投入コンベヤ１５を配置し、且つ上記破袋コンベヤ１０の搬送方向の左側方部に、破袋されたビニール袋１４から出された回収物１３を受け取って搬送する回収物搬送コンベヤ１６を、破袋コンベヤ１０の搬送方向に沿うように配置し、更に、上記破袋コンベヤ１０の下流側端部の下方に、回収物１３を分離した後のビニール袋１４を受け取って搬送するビニール袋搬送コンベヤ１７を、破袋コンベヤ１０の左右幅方向と平行に配置する。
【００１７】
破袋コンベヤ１０を駆動した状態において、空瓶や空缶等の回収物１３が入っているビニール袋１４を搬送コンベヤ１０上のチェーン押え板１１の上流側端部上に投入すると、該ビニール袋１４は、固定の各チェーン押え板１１の間から突出している破袋刃８に引っ掛かって下流側へ運ばれることにより、第１段目の押え部材１２の位置へ達することになる。このとき、ビニール袋１４は押え部材１２の下側を通過して下流へ搬送されようとするが、押え部材１２によって通過抵抗が与えられて押え力が作用するので、移動している破袋刃８によって下部位置に裂け目が入れられる。
【００１８】
上記の場合、ビニール袋１４に裂け目が入った時点で回収物１３がビニール袋１４から出るとは限らないが、第１段目の押え部材１２とチェーン押え板１１との間の隙間より大きい回収物１３は、ビニール袋１４だけが下流へ搬送される結果、その場に取り残されることになる。この際、チェーン押え板１１は破袋コンベヤ１０と一体に搬送方向の左方へ下向きに傾斜しているため、取り残された回収物１３はチェーン押え板１１の傾斜に沿い自重によって転げ落ち、回収物搬送コンベヤ１６上にて受けられる。又、ビニール袋１４に裂け目が入れられることによりビニール袋１４から出た回収物１３の大きさが、押え部材１２とチェーン押え板１１との間の隙間より小さい場合には、該回収物１３は押え部材１２の下側を通って下流へ運ばれようとするが、搬送コンベヤ１０が搬送方向下流へ向かって立ち上がっているため、直接下流へ運ばれることはなく、やはり傾斜に沿って回収物搬送コンベヤ１６上に落下させられることになる。
【００１９】
一方、第１段目の押え部材１２とチェーン押え板１１との間の隙間よりも小さい回収物１３の場合、ビニール袋１４に裂け目が入れられても、ビニール袋１４から出ないときにはビニール袋１４と一緒に更に下流に運ばれてしまうが、続いて、第２段目の押え部材１２の位置へ達することになる。しかし、第２段目の押え部材１２は、第１段目の押え部材１２よりもチェーン押え板１１に対する隙間が小さく設定してあるため、第２段目の押え部材１２により通過抵抗が与えられつつビニール袋１４には更に裂け目が入れられるため、該回収物１３はこの位置でビニール袋１４と分離されることになり、上記の場合と同様に回収物搬送コンベヤ１６上に落下させられる。このように、各押え部材１２は搬送方向の下流側のものほどチェーン押え板１１に対する隙間が小さく設定してあるので、回収物１３はサイズによらずビニール袋１４から分離される。
【００２０】
回収物１３と分離されたビニール袋１４は破袋刃８の移動と共に下流側端部へ運ばれてビニール袋搬送コンベヤ１７上に落下させられるが、この際、破袋刃８に引っ掛かっているような事態が生じていたとしても、チェーン押え板１１の下流側端部に連設された離脱ガイド１１ａによって破袋刃８から確実に離脱させられる。すなわち、離脱ガイド１１ａは、破袋コンベヤ１０の下流側端部となる駆動スプロケット４の位置で、破袋刃８の突出量が徐々に小さくなって完全になくなるようにチェーン１の移動軌跡から次第に離れるような形状としてあるので、破袋刃８に引っ掛かっていたビニール袋１４は破袋コンベヤ１０の下流側端部を通過するときに破袋刃８から自動的に離脱させられる。
【００２１】
なお、本発明は上記実施の形態にのみ限定されるものではなく、押え部材１２の段数、隙間の設定は任意に選定し得ること、チェーン１への破袋刃８、ガイドローラ９の取り付け間隔は任意に選定し得ること、破袋コンベヤ１０の傾斜方向は左右逆であってもよいこと、その他本発明の要旨を逸脱しない範囲内において種々変更を加え得ることは勿論である。
【００２２】
【発明の効果】
以上述べた如く、本発明の破袋分離装置によれば、次の如き優れた効果を発揮する。
（１）一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように配置した構成としてあるので、回収物の入ったビニール袋を、押え部材により通過抵抗を与えつつ固定のチェーン押え板の間から突出させてある破袋刃で円滑に破袋することができ、この際破袋コンベヤは搬送方向へ立ち上がっていることから、ビニール袋から出た回収物を下流側へ運ぶことなく左右幅方向の傾斜に沿わせて側方に落下することができて、ビニール袋と回収物とを人手を掛けずに分離することができる。
（２）上記（１）の構成におけるチェーン押え板の下流側端部を、チェーンの移動軌跡から次第に離れる形状としてビニール袋用の離脱ガイドとするようにした構成とすることにより、上記効果のほかに、破袋後のビニール袋が破袋刃に引っ掛かっているような事態が生じても、離脱ガイドによりビニール袋を破袋刃から確実に離脱させることができる。
（３）一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように搬送方向に複数段配置し、該各押え部材と上記チェーン押え板との間の隙間を、搬送方向下流側に向かうに連れて狭くなるように設定した構成とすることにより、上記（１）により得られる効果のほかに、回収物の入ったビニール袋に繰り返し通過抵抗を与えつつ破袋刃にて裂け目を入れることができるので、破袋と分離をより確実に行なうことができ、又、下流側の押え部材ほど大きな通過抵抗を与えることができるので、小さい回収物であっても対応することができる。
（４）一端と他端にそれぞれ左右幅方向に所要間隔を隔てて同軸配置した複数の駆動スプロケットと従動スプロケットとの間に、無端状のチェーンを各々平行に掛け回し、該各チェーンの外側に所要間隔を隔てて破袋刃を外向きに突出するように取り付け、且つ上記駆動スプロケットと従動スプロケットとの間に形成される搬送部のチェーンを搬送方向へ向けて凹状に湾曲させた破袋コンベヤを構成し、該破袋コンベヤを、搬送方向の下流側へ向けて所要角度立ち上がらせるようにすると共に左右幅方向の一方を下向きに傾斜させて配置し、該破袋コンベヤの搬送部上に、隣接するチェーンの間隔に対応させた幅寸法として搬送部の上流側端部から下流側端部まで延びるようにチェーン押え板を配置し固定して、該各固定のチェーン押え板の間から破袋刃を突出位置させるようにし、該チェーン押え板の下流側端部を、チェーンの移動軌跡から次第に離れる形状としてビニール袋用の離脱ガイドとするようにし、更に、上記破袋コンベヤの搬送部の上方部に、空瓶や空缶の如き回収物を入れたビニール袋に対し通過抵抗を与えるための押え部材を、上記チェーン押え板との間に所要の隙間が形成されるように搬送方向に複数段配置し、該各押え部材と上記チェーン押え板との間の隙間を、搬送方向下流側へ向かうに連れて狭くなるように設定した構成とすることにより、上記（２）と（３）の効果をともに得られるものとすることができる。
【図面の簡単な説明】
【図１】本発明の破袋分離装置の実施の一形態を示すもので、（イ）は概略側面図、（ロ）は概略平面図、（ハ）は（イ）のＡ−Ａ方向矢視図である。
【図２】図１（イ）のＢ部拡大図である。
【図３】図２のＣ−Ｃ方向矢視図である。
【図４】図２のＤ−Ｄ方向矢視図である。
【図５】従来の破袋装置の一例を示す概略図である。
【図６】従来の破袋装置の他の例を示す概略図である。
【符号の説明】
１  チェーン
８  破袋刃
１０  破袋コンベヤ
１１  チェーン押え板
１１ａ  離脱ガイド
１２  押え部材
１３  回収物
１４  ビニール袋
【図１】
0003605966.tif 000002
【図２】
0003605966.tif 000003
【図３】
0003605966.tif 000004
【図４】
0003605966.tif 000005
【図５】
0003605966.tif 000006
【図６】
0003605966.tif 000007